(57)【要約】      （修正有）【課題】着付けの素人のユーザーでも一人だけで素早く容易に着付けすることができるワンタッチ着物を提供する。【解決手段】ワンタッチ着物は、帯を巻く部分の一部であって上下方向において約２５−５０ｃｍ幅の略水平斜め方向に延びる帯状部分１ａ、１ｂを、前方部分が後方又は側方部分よりも約２−８ｃｍ低い斜め方向に沿って袋状に折り畳んだ状態で縫い付けて成る斜めお端折り部１を備え、ユーザーの背中に対向する部分に斜めお端折り部１の上に配置して締め付ける面ファスナー付きベルト及びこれを挿通するベルト通しなどを備える。【選択図】図１
0003232224.tif 000002
【実用新案登録請求の範囲】
【請求項１】
着付けの素人のユーザーでも一人だけで素早く容易に着付けすることができるワンタッチ着物であって、着物中の帯を巻く部分を含む部分であって上下方向において約２５−５０ｃｍ幅の略水平斜め方向に延びる帯状部分を、ユーザーの側方又は後方に対向する部分よりもユーザーの前方に対向する部分の方が約２−８ｃｍだけ徐々に低くなる斜め方向に沿って袋状に折り畳んだ状態にして、当該袋状に折り畳んだ前記斜め方向の根元部分を縫い付けて成る斜めお端折り部を備えるようにし、着付け時におけるお端折り及び裾すぼまりのための作業を不要としたワンタッチ着物。
【請求項２】
前記斜めお端折り部における、前記帯状部分の上下方向の幅寸法及び前記縫い付ける根元部分の水平方向に対する傾斜角度は、ユーザーの身長、胸部及び腹部のサイズに基づいて予め決められる複数のパターンのいずれかである、請求項１に記載のワンタッチ着物。
【請求項３】
着物中の衿中の前記斜めお端折り部の近傍部分が、前記斜めお端折り部よりもユーザーの前方中央方向にはみ出さないように形成されている、請求項１又は２に記載のワンタッチ着物。
【請求項４】
着物中の衿の後ろ首に対応する部分が、ユーザーの首の長さ及び／又は太さなどの体型に基づいて決められる複数パターン中の１つのパターンに対応する所定の曲率で下方に湾曲するように折り畳み縫い付けられて成る繰越衿部を備え、着付け時における繰越のための作業をも不要とした、請求項１から３までのいずれかに記載のワンタッチ着物。
【請求項５】
着物中のユーザーの背中に対向する部分に、「前記斜めお端折り部の上側に配置してこれを締め付ける面ファスナー付きベルト（マジックベルト）」及びこれを挿通するためのベルト通しを備え、着付け時において胸紐、腰紐、コーリンベルト、及び伊達締め帯などの小物を使用することを不要とした、請求項１から４までのいずれかに記載のワンタッチ着物。
【請求項６】
着物中のユーザーの背中に対向する部分であって前記斜めお端折り部を含む部分の左右の２箇所の部分にそれぞれ、上下方向に約１５−４０ｃｍ延びるタックを形成し、着付け後に着物に縦皺が発生することを抑制できるようにした、請求項１から５までのいずれかに記載のワンタッチ着物。
【考案の詳細な説明】
【技術分野】
【０００１】
本考案は着物を容易に着付けできるようにするための着物の改良に関する。
【背景技術】
【０００２】
従来より、着物は反物から仕立てて作成することが通常であり（特許文献１参照）、そのような着物を一般人の素人が着用するときは、着付け師などに依頼して着付けをしてもらうことが必要であった。
【先行技術文献】
【特許文献】
【０００３】
【特許文献１】特許第５７３１７０１号公報
【考案の概要】
【考案が解決しようとする課題】
【０００４】
しかしながら、反物から仕立てて作成した着物を着付け師などに依頼して着付けをしてもらわなければ一般人が着物を着用できないという現状は、従来より、着物の普及を妨げる大きな要因とされており、着物の普及がなかなか進まない状況において克服すべき大きな課題とされていた。
【０００５】
本考案はこのような従来からの課題に着目して為されたものであって、「着付け時における、お端折り及び裾すぼまりのための作業」を不要とすること、「着付け時における、繰越のための作業」を不要とすること、又は「着付け時における、胸紐、腰紐、コーリンベルト、及び伊達締め帯などの小物の使用」を不要とすることなどにより、素人のユーザーでも一人だけで素早く容易に着付けをすることができるワンタッチ着物を提供することを目的とするものである。
【課題を解決するための手段】
【０００６】
以上のような課題を解決するための本考案によるワンタッチ着物は、着物中の帯を巻く部分を含む部分であって上下方向において約２５−５０ｃｍ幅の略水平斜め方向に延びる帯状部分を、ユーザーの後方又は側方に対向する部分よりもユーザーの前方に対向する部分の方が約２−８ｃｍだけ徐々に低くなる斜め方向に沿って袋状に折り畳んだ状態にして、当該袋状に折り畳んだ前記斜め方向の根元部分を縫い付けて成る斜めお端折り部を備えるようにし、これにより、着付け時におけるお端折り及び裾すぼまりのための作業を不要としたものである。
【０００７】
また、本考案によるワンタッチ着物においては、前記斜めお端折り部における、前記帯状部分の上下方向の幅寸法及び前記縫い付ける根元部分の水平方向に対する傾斜角度は、ユーザーの身長、胸部及び腹部のサイズに基づいて予め決められる複数のパターンのいずれかであってもよい。
【０００８】
また、本考案によるワンタッチ着物においては、衿を構成する部分中の前記斜めお端折り部の近傍部分が、前記斜めお端折り部よりもユーザーの前方中央方向にはみ出さないように形成されていてもよい。
【０００９】
また、本考案によるワンタッチ着物においては、衿の後ろ首に対応する部分が、ユーザーの首の長さ及び／又は太さなどの体型に対応して異なる複数パターン中の１つのパターンに対応する所定の曲率で下方に湾曲するように折り畳み縫い付けられて成る繰越衿部を備え、これにより、着付け時における繰越のための作業をも不要としたものであってもよい。
【００１０】
また、本考案によるワンタッチ着物においては、着物中のユーザーの背中に対向する部分に、「前記斜めお端折り部の上側（ユーザーの身体とは反対側）に配置してこれを締め付ける面ファスナー付きベルト（マジックベルト）」とこれを挿通するためのベルト通しを備え、着付け時において胸紐、腰紐、コーリンベルト、及び伊達締め帯などの小物を使用することを不要としたものであってもよい。
【００１１】
さらに、本考案によるワンタッチ着物においては、着物中のユーザーの背中に対向する部分であって前記斜めお端折り部を含む部分の左右の２箇所にそれぞれ、上下方向に約１５−４０ｃｍ延びるタック（布の一部をつまみ又は挟み込んで縫製して成るヒダのような部分）を形成し、これにより、着付け後に着物に縦皺が発生することを抑制できるようにしてもよい。
【考案の効果】
【００１２】
本考案のワンタッチ着物においては、着物中の帯を巻く部分を含む部分であって上下方向において約２５−５０ｃｍ幅の略水平斜め方向に延びる帯状部分を袋状に折り畳み、その根元部分を縫い付けて成る斜めお端折り部を着物に備えるようにして、従来より着付け時において行っていたお端折りを予め縫製により形成しておくようにしたので、着付け時における「お端折りのための作業」が不要となる。また、本考案によれば、前記斜めお端折り部を形成する際に、斜めお端折り部を、ユーザーの後方又は側方に対向する部分よりもユーザーの前方に対向する部分の方が約２−８ｃｍだけ徐々に低くなる斜め方向に沿うように形成するようにしたので、着物をユーザーが着用したとき自然に裾がすぼまるようになる結果、着付け時における「裾すぼまりのための作業」が不要となる。よって、本考案によれば、「従来より一般人が着付け師に依頼しなければできない作業の代表的なものであった、着付け時におけるお端折りと裾すぼまりのための作業」が不要となるので、一般人の素人ユーザーでも、一人だけで素早く容易に着付けができるようになる。
【００１３】
また、本考案において、前記斜めお端折り部を作成する際に、前記帯状部分の上下方向の幅寸法及び前記縫い付ける根元部分の水平方向に対する傾斜角度を、ユーザーの身長、胸部及び腹部のサイズに対応して決められる複数のパターン中のいずれかとするようにしたときは、予め前記複数パターンの着物を縫製しておき、個々のユーザー毎にその体型（身長、胸部及び腹部のサイズ）又はそのパターンに適合するワンタッチ着物を適宜用意して提供することが可能になる。
【００１４】
また、本考案において、着物中の衿の前記斜めお端折り部の近傍部分中の前記斜めお端折り部よりもユーザーの前方中央方向にはみ出す部分を、前記斜めお端折り部よりもユーザーの前方中央方向にはみ出さないように形成する（例えば、前記はみ出す部分をはみ出さないように折り畳んで縫い込む）ようにしたときは、着付け時に前記衿を構成する部分中の前記はみ出し部分の処理に手間をかけることが無くなり、着付け作業をより効率化・容易化できるようになると共に、前記衿の先端部分と前記斜めお端折り部との接続部分及びその近傍部分の外見的な違和感を無くすことができる。
【００１５】
また、本考案において、衿の後ろ首に対応する部分をユーザーの首の長さ及び／又は太さなどの体型に対応して異なる複数パターン中の１つのパターンに対応する曲率で下方に湾曲するように折り畳み縫い付けて成る繰越衿部を着物に備えるようにしたときは、「着付け時における繰越のための作業」を不要として、着付け作業をより効率化・容易化できるようになる。
【００１６】
また、本考案において、着物の背中に対応する部分に「前記斜めお端折り部の上に配置して締め付ける面ファスナー付きベルト（マジックベルト）」とこれを挿通するためのベルト通しを備えるようにしたときは、「着付け時における、胸紐、腰紐、コーリンベルト、及び伊達締め帯などの小物の使用」が不要となり、着付け作業をより効率化・低価格化することができる。
【００１７】
さらに、本考案において、背中に対向する部分であって前記斜めお端折り部を含む部分の左右の２箇所に、上下方向に約１５−４０ｃｍ延びるタックをそれぞれ形成するようにしたときは、着付け後に着物に縦皺が発生することを抑制し、着付け姿をより美しいものに維持することができる。
【図面の簡単な説明】
【００１８】
【図１】本考案の実施形態によるワンタッチ着物の型紙の一例を示す図である。
【図２】本実施形態によるワンタッチ着物におけるユーザーの背中側に対向する部分を示す斜視図である。
【図３】本実施形態によるワンタッチ着物におけるユーザーの背中側に対向する部分を示す斜視図である。
【図４】本実施形態によるワンタッチ着物におけるユーザーの背中側に対向する部分を示す斜視図である。
【図５】本実施形態によるワンタッチ着物におけるユーザーの背中側に対向する部分を示す斜視図である。
【図６】本実施形態によるワンタッチ着物におけるユーザーの前方側に対向する部分を示す斜視図である。
【図７】本実施形態によるワンタッチ着物におけるユーザーの前方側に対向する部分を示す斜視図である。
【図８】本実施形態によるワンタッチ着物における斜めお端折り部と衿部などを示す斜視図である。
【図９】本実施形態によるワンタッチ着物における斜めお端折り部と衿部などを示す斜視図である。
【考案を実施するための形態】
【００１９】
以下、本考案の一実施形態に係るワンタッチ着物を図面を参照しながら説明する。図１は本考案の実施形態によるワンタッチ着物の型紙の一例を示す図、図２−５は本実施形態によるワンタッチ着物におけるユーザーの背中側に対向する部分を示す斜視図、図６及び図７は本実施形態によるワンタッチ着物におけるユーザーの前方側に対向する部分を示す斜視図、図８及び図９は本実施形態によるワンタッチ着物中の斜めお端折り部と衿部などを示す斜視図である。
【００２０】
図１において、１ａ及び１ｂは身頃中のお端折りを構成する帯状部分の各一部を示す部分である（１ａ及び１ｂのそれぞれが帯状部分でもある）。本実施形態では、図示横方向（斜め横方向）に延びる帯状部分１ａと帯状部分１ｂとを、図１の破線Ｂの部分を突出させるように合わせて縫い付けることにより、すなわち図１の横方向の破線Ｂの部分を突出させて図１の横方向の実線Ａの部分と同Ｃの部分を互いに合わせて縫い付ける（破線Ｂの部分が突出する略袋状となるようにして縫い付ける）ことにより、実線Ａの部分と同Ｃの部分が根元部分として縫い付けられ且つ破線Ｂの部分が袋状に突出するように折り畳まれて成る「お端折り部」が形成される。このような「お端折り部」は、「着付け時において従来より最も煩雑とされていたお端折りの作業」を不要とするためのものである。なお、本実施形態において、前記お端折り部の上下方向の幅（図１の符号Ｍ，Ｎ）は、ユーザーの体型に応じて適宜変更され得るが、例えば１５−１９ｃｍである。
【００２１】
また、前記お端折り部は、帯状部分１ａ及び帯状部分１ｂ中のユーザーの前方部分が、帯状部分１ａ及び帯状部分１ｂ中のユーザーの後方部分よりも約２−８ｃｍだけ低い斜め方向に傾斜するように、すなわち前記Ａ，Ｂ，Ｃの各部分がそれぞれ互いに略平行に且つ斜め方向に傾斜するように袋状に折り畳まれて成る「斜めお端折り部１」として形成されている。すなわち、前記お端折り部を形成する前記Ａ，Ｂ，Ｃの各部分は、着物の略斜め水平方向の周面に沿って連続するように形成されているが、ユーザーの身体の前方に対向する部分からユーザーの身体の側方又は後方に対向する部分に進むに従って（図１の図示中央部分から図示左右方向に進むに従って）徐々に最終的に約２−８ｃｍだけ上がるように、斜め方向に形成されている。このように、お端折り部を傾斜させて、斜めお端折り部１としたのは、着付け時において従来難しい作業であった裾すぼまりのための作業を不要とするためのものである。
【００２２】
なお、前記斜めお端折り部１における、前記帯状部分１ａ，１ｂの図示上下方向の幅寸法及び前記互いに縫い付ける前記Ａ及びＣの部分から成る根元部分の水平方向に対する傾斜方向・傾斜角度は、ユーザーの身長、胸部及び腹部のサイズから決められる複数のパターン(例えば、身長・胸部及び腹部がいずれも大きいユーザーに適したパターン、身長・胸部及び腹部がいずれも小さいユーザーに適したパターン、それらの中間の複数のパターンなど、様々な体型・様々なサイズの組み合わせから得られる複数のパターン）のものとして、複数種類、予め製造、用意されている。図２は、このように形成された斜めお端折り部１の一例(表面側には前記帯状部分１ａが露出している)を示す斜視図である。
【００２３】
また、本実施形態では、前記斜めお端折り部１の上下方向の幅(前記ＡとＢとの間の幅、及び前記ＢとＣとの間の幅)は、図１の図示左側の下前部１０ａ側の斜めお端折り部１の上下方向の幅（図１の符号Ｎ）の方が、図示右側の上前部１０ｂ側の斜めお端折り部１の上下方向の幅（図１の符号Ｍ）よりも約０．５−２ｃｍだけ大きくなるように、形成されている。
【００２４】
また、本実施形態では、衿部２中に、ユーザーの後ろ首に対向する繰越衿部２ａが形成されている。この繰越衿部２ａは、ユーザーの首の長さ及び／又は太さなどのサイズに対応する所定の曲率で下方に湾曲するように折り畳み縫い付けられている。そして、このような繰越衿部２ａは、ユーザーの首の長さ及び／又は太さなどの体型に基づいて決められる複数パターン中の１つのパターンに対応する所定の曲率（本実施形態では、従来又は通常の曲率と比較して例えば２０−６０％程度大きな曲率）で下方に湾曲するように折り畳み縫い付けられて成るものとして、複数種類のパターンで、予め製造、用意されている。このように繰越衿部２ａを予め形成しておくようにしたのは、「従来から素人ユーザーにとって難しかった、着付け時における繰越の作業」を不要にするためである。なお、本実施形態において、前記衿部２は、前記衿部２中のユーザーの首の後ろに対向する部分(繰越衿部２ａ)の幅（図１の符号Ｑ）よりも前記衿部２中の前記斜めお端折り部１の近傍の部分の幅（図１の符号Ｐ）の方が約１−２ｃｍくらい大きくなるように、形成されている。
【００２５】
また本実施形態では、図２−５に示すように、着物中のユーザーの背中に対向する部分に、ベルト通し３が形成されており、このベルト通し３にマジックベルト４（面ファスナー付きベルト）が挿通されている。前記マジックベルト４は、その表面側と裏面側とが容易に互いに面的に着脱可能に形成されている。また前記マジックベルト４は、図２−４に示すように、前記斜めお端折り部１の上方部分の全周に渡って配置されるものである。このマジックベルト４は、後述のように、着付け時において従来使用されていた胸紐、腰紐、コーリンベルト、及び伊達締め帯などの小物を不要とするためのものである。
【００２６】
また本実施形態では、図５，６に示すように、図１左側の下前部１０ａの前方部分の表側に面ファスナー５（マジックテープ（登録商標）。以下同じ)が備えられている。また、図６に示すように、図１右側の上前部１０ｂの前方部分の裏側の前記面ファスナー５と対向する位置に、前記面ファスナー５と面的に着脱可能な面ファスナー６が備えられている。
【００２７】
ユーザーは、まず、図６に示すように、図１の左側の下前部１０ａの上に図１の右側の上前部１０ｂを合わせて、前記下前部１０ａ側の面ファスナー５に前記上前部１０ｂ側の面ファスナー６を固着させる。次に、図２，３，４に示すように、前記マジックベルト４を前記斜めお端折り部１の上方部分の全周に回す。そして、図７に示すように、前記マジックベルト４の両端の各先端部の表側と裏側を前記上前部１０ｂの前方の位置で互いに固着させ、これにより、図１の左側の下前部１０ａとこれの上に合わせられた図１の右側の上前部１０ｂとを互いに固定する。以上により、お端折り、裾すぼまり、及び繰越などの処理をも含めて、着付けの作業はほぼ終了する。
【００２８】
なお、本実施形態では、図２〜５に示すように、着物中のユーザーの背中に対向する部分であって前記斜めお端折り部１を含む部分の図示左右の２箇所に、上下方向に約１５−４０ｃｍくらい延びるタック６ａ，６ｂをそれぞれ形成している。これは、着付け後に着物に縦皺が発生することを抑制するためのものである。
【００２９】
また、本実施形態では、図１(型紙を示す図)の衿２中の前記斜めお端折り部１に近い部分中の、前記斜めお端折り部１からユーザーの前方（中央方向）にはみ出す部分２ｂ（図１の斜線で示す部分２ｂ）を、前記斜めお端折り部１の内側に折り畳んで縫い付けるようにしている(図７−９参照)。すなわち、本実施形態では、図１に示すように、前記衿２中の、前記斜めお端折り部１の図１の符号Ｒの点（図１において前記破線Ｂと前記衿２の縁部とが交わる点）から下方に延びる部分よりもユーザーの前方中央側にはみ出す部分２ｂ（図１の斜線部分）を、実際には「はみ出さない」ように、前記斜めお端折り部１の内側に折り畳み縫い付けるようにしている(図７−９参照)。これにより、着付け時に前記衿２中の前記はみ出し部分２ｂの処理に手間をかけることを無くして着付け作業をより効率化すると共に、前記衿２の先端部分２ｂと前記斜めお端折り部１との接続部分又はその近傍部分の外見的な違和感を無くすことができる。
【００３０】
以上のように本実施形態によれば、着物中の帯を巻く部分を含む部分であって上下方向において約２５−５０ｃｍ幅の略水平斜め方向に延びる帯状部分１ａ，１ｂを袋状に折り畳んだ状態にしたときの当該袋状に折り畳んだ根元部分（図１のＡ及びＣの部分）を縫い付けて成る斜めお端折り部１を予め着物に備えておくようにした。このように、本実施形態では、従来より着付け時において行っていたお端折りの部分を予め縫製により作成するようにしたので、着付け時における「お端折りのための作業」を不要とすることができるようになる。また、本実施形態によれば、前記斜めお端折り部１を形成する際に、図１に示すように、ユーザーの前方に対向する部分がユーザーの後方又は側方に対向する部分よりも約２−８ｃｍだけ低い斜め方向に沿って袋状に折り畳んだ状態とするように形成するようにしたので、着物をユーザーが着用したとき自然に裾がすぼまるようになる結果、着付け時における「裾すぼまりのための作業」が不要となる。よって、本実施形態によれば、「従来は一般人（着付けの素人ユーザー）が着付け師に依頼しなければできない作業の代表的なものであった、お端折りと裾すぼまりのための作業」を不要とすることができるので、着付けの素人ユーザーである一般人でも、一人だけで素早く容易に着付けができるようになる。
【００３１】
また、本実施形態においては、前記斜めお端折り部１を作成する際に、前記帯状部分１ａ，１ｂの上下方向の幅寸法及び前記縫い付ける根元部分（図１の符号Ａ，Ｃの部分）の水平方向に対する傾斜角度を、ユーザーの身長、胸部及び腹部のサイズに対応して決められる複数のパターン中のいずれかとするようにしたので、予め前記複数パターンの着物を縫製しておき、個々のユーザー毎にその体型（身長、胸部及び腹部のサイズ）に適合するワンタッチ着物を用意し提供することが可能になる。
【００３２】
また、本実施形態においては、着物の前記衿２中の前記斜めお端折り部１の近傍の部分を、前記斜めお端折り部１よりもユーザーの前方中央方向にはみ出さないように、形成するようにしている。すなわち、図１に示すように、前記衿２中の、前記斜めお端折り部１の図１の符号Ｒの点（図１において前記破線Ｂと前記衿２の縁部とが交わる点）から図示下方に延びる部分よりもユーザーの前方中央側にはみ出す部分２ｂ（図１の斜線部分）を、実際には「はみ出さない」ように、前記斜めお端折り部１の内側に折り畳んで縫い付けるようにしている(図７−９参照)。よって、本実施形態によれば、着付け時に、前記衿２中の前記斜めお端折り部１の近傍の部分中の前記はみ出し部分２ｂの処理に手間をかけることを無くして、着付け作業をより効率化することができると共に、前記衿２の先端部分２ｂと前記斜めお端折り部１との接続部分又はその近傍部分の外見的な違和感を無くすことができる。
【００３３】
また、本実施形態においては、前記衿２のユーザーの後ろ首に対応する部分をユーザーの首の長さ及び／又は太さなどの体型に対応して異なる複数パターン中の１つのパターンに対応する曲率（従来例と比較して大きな曲率）で下方に湾曲するように折り畳み縫い付けて成る繰越衿部２ｂを着物に備えるようにしたので、着付け時において繰越のための作業を不要として、着付け作業を、より効率化・容易化できるようになる。
【００３４】
また、本実施形態においては、着物のユーザーの背中に対向する部分に「前記斜めお端折り部１の上に配置して締め付けるマジックベルト(商標)４及びこれを挿通するためのベルト通し３を備えるようにしたので、着付け時において従来使用されていた胸紐、腰紐、コーリンベルト、及び伊達締め帯などの小物を不要とし、着付け作業をより効率化・低価格化できるようになる。
【００３５】
さらに、本実施形態によれば、着物中のユーザーの背中に対向する部分であって前記斜めお端折り部１を含む部分の左右の２箇所にそれぞれ、上下方向に約１５−４０ｃｍ延びるタック６ａ，６ｂを形成するようにしたので、着付け後の着物に縦皺が発生することを抑制し、着付け姿をより美しいものとすることができる。
【００３６】
以上、本考案の実施形態について説明したが、本考案は前記実施形態として述べたものに限定されるものではなく、様々な修正及び変更が可能である。例えば、前記実施形態では、斜めお端折り部１を備えること、繰越衿部２ａを備えること、及びマジックベルト４を備えることなどの複数の要素の全てを１つの着物に適用した例を示したが、本考案はこれに限られるものではなく、例えば前記各要素のいずれか１つだけ又はいずれか複数だけを適用した着物としてもよいことは勿論である。
【符号の説明】
【００３７】
１  斜めお端折り部
１ａ，１ｂ  帯状部分
２  衿部
２ａ  繰越衿部
２ｂ  はみ出し部（はみ出す部分）
３  ベルト通し
４  面ファスナーベルト（マジックベルト(商標)）
５，６  面ファスナー（マジックテープ（商標））
６ａ，６ｂ  タック
１０ａ  下前部
１０ｂ  上前部
【図１】
0003232224.tif 000003
【図２】
0003232224.tif 000004
【図３】
0003232224.tif 000005
【図４】
0003232224.tif 000006
【図５】
0003232224.tif 000007
【図６】
0003232224.tif 000008
【図７】
0003232224.tif 000009
【図８】
0003232224.tif 000010
【図９】
0003232224.tif 000011
【手続補正書】
【提出日】令和3年2月3日(2021.2.3)
【手続補正１】
【補正対象書類名】実用新案登録請求の範囲
【補正対象項目名】全文
【補正方法】変更
【補正の内容】
【実用新案登録請求の範囲】
【請求項１】
着付けの素人のユーザーでも一人だけで素早く容易に着付けすることができるワンタッチ着物であって、着物中の帯を巻く部分を含む帯状部分を袋状にして斜め方向に折り畳んだ状態にして、当該袋状に折り畳んだ部分を縫い付けて成るお端折り部を備えるようにし、着付け時におけるお端折り及び裾すぼまりのための作業を不要としたワンタッチ着物。
【請求項２】
前記お端折り部における、前記帯状部分の上下方向の幅寸法及び縫い付け方向は、ユーザーの身長、胸部及び腹部のサイズに基づいて予め決められる複数のパターンのいずれかである、請求項１に記載のワンタッチ着物。
【請求項３】
着物中の衿中の前記お端折り部の近傍部分が、前記お端折り部側に配置されるように形成されている、請求項１又は２に記載のワンタッチ着物。
【請求項４】
着物中の衿の後ろ首に対応する部分が、ユーザーの首の長さ及び／又は太さなどの体型に基づいて決められる複数パターン中の１つのパターンに対応する所定の曲率で下方に湾曲するように折り畳み縫い付けられて成る繰越衿部を形成することにより着付け時における繰越のための作業を不要とした、請求項１から３までのいずれかに記載のワンタッチ着物。
【請求項５】
着物中のユーザーの背中に対向する部分に、「前記お端折り部の上側に配置してこれを締め付ける面ファスナー付きベルト」及びこれを挿通するためのベルト通しを備えることにより、着付け時において胸紐、腰紐、コーリンベルト、及び伊達締め帯などの小物を使用することを不要とした、請求項１から４までのいずれかに記載のワンタッチ着物。
【請求項６】
着物中のユーザーの背中に対向する部分であって前記お端折り部を含む部分にタックを形成することにより着付け後に着物に縦皺が発生することを抑制できるようにした、請求項１から５までのいずれかに記載のワンタッチ着物。
【手続補正２】
【補正対象書類名】明細書
【補正対象項目名】０００６
【補正方法】変更
【補正の内容】
【０００６】
本考案によるワンタッチ着物は、着付けの素人のユーザーでも一人だけで素早く容易に着付けすることができるワンタッチ着物であって、着物中の帯を巻く部分を含む帯状部分を袋状にして斜め方向に折り畳んだ状態にして、当該袋状に折り畳んだ部分を縫い付けて成るお端折り部を備えるようにし、着付け時におけるお端折り及び裾すぼまりのための作業を不要としたものである。
【手続補正３】
【補正対象書類名】明細書
【補正対象項目名】０００７
【補正方法】変更
【補正の内容】
【０００７】
また本考案によるワンタッチ着物において、前記お端折り部における前記帯状部分の上下方向の幅寸法及び縫い付け方向は、ユーザーの身長、胸部及び腹部のサイズに基づいて予め決められる複数のパターンのいずれかであってもよい。
【手続補正４】
【補正対象書類名】明細書
【補正対象項目名】０００８
【補正方法】変更
【補正の内容】
【０００８】
また本考案によるワンタッチ着物において、着物中の衿中の前記お端折り部の近傍部分が、前記お端折り部側に配置されるように形成されていてもよい。
【手続補正５】
【補正対象書類名】明細書
【補正対象項目名】０００９
【補正方法】変更
【補正の内容】
【０００９】
また本考案によるワンタッチ着物においては、着物中の衿の後ろ首に対応する部分が、ユーザーの首の長さ及び／又は太さなどの体型に基づいて決められる複数パターン中の１つのパターンに対応する所定の曲率で下方に湾曲するように折り畳み縫い付けられて成る繰越衿部を形成することにより着付け時における繰越のための作業を不要としてもよい。
【手続補正６】
【補正対象書類名】明細書
【補正対象項目名】００１０
【補正方法】変更
【補正の内容】
【００１０】
また本考案によるワンタッチ着物においては、着物中のユーザーの背中に対向する部分に、「前記お端折り部の上側に配置してこれを締め付ける面ファスナー付きベルト」及びこれを挿通するためのベルト通しを備えることにより、着付け時において胸紐、腰紐、コーリンベルト、及び伊達締め帯などの小物を使用することを不要としてもよい。
【手続補正７】
【補正対象書類名】明細書
【補正対象項目名】００１１
【補正方法】変更
【補正の内容】
【００１１】
さらに本考案によるワンタッチ着物においては、着物中のユーザーの背中に対向する部分であって前記お端折り部を含む部分にタックを形成することにより着付け後に着物に縦皺が発生することを抑制できるようにしてもよい。
【手続補正８】
【補正対象書類名】明細書
【補正対象項目名】００１２
【補正方法】変更
【補正の内容】
【００１２】
本考案のワンタッチ着物においては、着物中の帯を巻く部分を含む部分を袋状にして斜め方向に折り畳み縫い付けて成るお端折り部を着物に備えるようにし、従来より着付け時において行っていたお端折りを予め縫製により形成しておくようにしたので、着付け時における「お端折り及び裾すぼまりのための作業」が不要となる。よって、本考案によれば、「従来より一般人が着付け師に依頼しなければできない作業の代表的なものであった、着付け時におけるお端折り及び裾すぼまりのための作業」が不要となるので、一般人の素人ユーザーでも、一人だけで素早く容易に着付けができるようになる。
【手続補正９】
【補正対象書類名】明細書
【補正対象項目名】００１３
【補正方法】変更
【補正の内容】
【００１３】
また、本考案において、前記お端折り部を作成する際に、前記帯状部分の幅及びその方向を、ユーザーの身長、胸部及び腹部のサイズに対応して決められる複数のパターン中のいずれかとするようにしたときは、予め前記複数パターンの着物を縫製しておき、個々のユーザー毎にその体型（身長、胸部及び腹部のサイズ）又はそのパターンに適合するワンタッチ着物を適宜用意して提供することが可能になる。
【手続補正１０】
【補正対象書類名】明細書
【補正対象項目名】００１４
【補正方法】変更
【補正の内容】
【００１４】
また、本考案において、着物中の衿の前記お端折り部の近傍部分中の前記お端折り部よりもユーザーの前方中央方向にはみ出す部分を前記お端折り部側に配置するようにしたときは、着付け時に前記衿を構成する部分中の前記はみ出し部分の処理に手間をかけることが無くなり、着付け作業をより効率化・容易化できるようになると共に、前記衿の先端部分と前記お端折り部との接続部分及びその近傍部分の外見的な違和感を無くすことができる。
【手続補正１１】
【補正対象書類名】明細書
【補正対象項目名】００１５
【補正方法】変更
【補正の内容】
【００１５】
また、本考案において、衿の後ろ首に対応する部分をユーザーの首の長さ及び／又は太さなどの体型に対応して異なる複数パターン中の１つのパターンに対応する曲率で下方に湾曲するように折り畳み縫い付けて成る繰越衿部を形成するようにしたときは、「着付け時における繰越のための作業」を不要として、着付け作業をより効率化・容易化できるようになる。
【手続補正１２】
【補正対象書類名】明細書
【補正対象項目名】００１６
【補正方法】変更
【補正の内容】
【００１６】
また、本考案において、着物の背中に対応する部分に「前記お端折り部の上に配置して締め付ける面ファスナー付きベルト」とこれを挿通するためのベルト通しを備えるようにしたときは、「着付け時における、胸紐、腰紐、コーリンベルト、及び伊達締め帯などの小物の使用」が不要となり、着付け作業をより効率化・低価格化することができる。
【手続補正１３】
【補正対象書類名】明細書
【補正対象項目名】００１７
【補正方法】変更
【補正の内容】
【００１７】
さらに、本考案において、背中に対向する部分であって前記お端折り部を含む部分にタックを形成するようにしたときは、着付け後に着物に縦皺が発生することを抑制し、着付け姿をより美しいものに維持することができる。
【手続補正書】
【提出日】令和3年4月16日(2021.4.16)
【手続補正１】
【補正対象書類名】実用新案登録請求の範囲
【補正対象項目名】全文
【補正方法】変更
【補正の内容】
【実用新案登録請求の範囲】
【請求項１】
着付けの素人のユーザーでも一人だけで素早く容易に着付けすることができるワンタッチ着物であって、着物中の帯を巻く部分を含む帯状部分を袋状にして斜め方向に折り畳んだ状態にして、当該袋状に折り畳んだ部分を縫い付けて成るお端折り部を備えるようにし、着付け時におけるお端折り及び裾すぼまりのための作業を不要としたワンタッチ着物。
【請求項２】
前記お端折り部における、前記帯状部分の上下方向の幅寸法及び縫い付け方向は、ユーザーの身長、胸部及び腹部のサイズに基づいて予め決められる複数のパターンのいずれかである、請求項１に記載のワンタッチ着物。
【請求項３】
着物中の衿中の前記お端折り部の近傍部分が、前記お端折り部側に配置されるように形成されている、請求項１又は２に記載のワンタッチ着物。
【請求項４】
着物中の衿の後ろ首に対応する部分が、ユーザーの首の長さ及び／又は太さなどの体型に基づいて決められる複数パターン中の１つのパターンに対応する所定の曲率で下方に湾曲するように折り畳み縫い付けられて成る繰越衿部を形成することにより着付け時における繰越のための作業を不要とした、請求項１から３までのいずれかに記載のワンタッチ着物。
【請求項５】
着物中のユーザーの背中に対向する部分に、「前記お端折り部の上側に配置してこれを締め付ける面ファスナー付きベルト」及びこれを挿通するためのベルト通しを備えることにより、着付け時において胸紐、腰紐、コーリンベルト（登録商標）、及び伊達締め帯などの小物を使用することを不要とした、請求項１から４までのいずれかに記載のワンタッチ着物。
【請求項６】
着物中のユーザーの背中に対向する部分であって前記お端折り部を含む部分にタックを形成することにより着付け後に着物に縦皺が発生することを抑制できるようにした、請求項１から５までのいずれかに記載のワンタッチ着物。